(57)【要約】【課題】標示杭Ａを識別するための表示プレート２０ａが、道具を使わず容易に取り付け可能で、かつ、いたずらなどによる取り外しが防止できる標示杭Ａを提供する。【解決手段】少なくとも頂面１２ａが地表から露出するようにして地盤に埋設され、前記頂面１２ａに標示杭Ａを識別するための表示プレート２０が取り付けられる標示杭Ａであって、前記頂面１２ａに、前記表示プレート２０を装着する凹部１３を備え、前記凹部１３の内周面の上部における一部に、凹部１３の中心に向かって突出した係止爪１４，１４が設けられ、内底面に係合突起１７が設けられ、前記表示プレート２０が、外周縁に設けられて前記係止爪１４，１４を上下方向に通過させて係止爪１４，１４の下方に表示プレート２０を回転可能に位置させる切欠部２３，２３と、表示プレート２０の切欠部２３，２３が係止爪１４，１４からずれた位置に回転した状態で前記係合突起１７に嵌合する嵌合孔２２とを有している。【選択図】      図２
2004325394.tif 000002
【特許請求の範囲】
【請求項１】
少なくとも頂面が地表から露出するようにして地盤に埋設され、前記頂面に標示杭を識別するための表示プレートが取り付けられる標示杭であって、
前記頂面に、前記表示プレートを装着する凹部を備え、前記凹部の内周面の上部における一部に、凹部の中心に向かって突出した係止爪が設けられ、内底面に係合突起が設けられ、
前記表示プレートが、外周縁に設けられて前記係止爪を上下方向に通過させて係止爪の下方に表示プレートを回転可能に位置させる切欠部と、表示プレートの切欠部が係止爪からずれた位置に回転した状態で前記係合突起に嵌合する嵌合孔とを有している標示杭。
【請求項２】
請求項１において、前記表示プレートの前記凹部の内底面と接する裏面に、接着剤からなる接着層が形成されている標示杭。
【請求項３】
請求項２において、前記凹部の内底面が、すりガラス状に、表面を粗らし加工された標示杭。
【請求項４】
少なくとも頂面が地表から露出するようにして地盤に埋設され、前記頂面に標示杭を識別するための表示プレートが取り付けられる標示杭であって、
前記頂面に、前記表示プレートを装着する凹部を備え、前記凹部の内周面の上部における一部に、凹部の中心に向かって突出した係合爪が設けられ、
前記表示プレートが、板ばねからなり、弾性変形によって前記凹部における係止爪の下方に係止されている標示杭。
【請求項５】
少なくとも頂面が地表から露出するようにして地盤に埋設され、前記頂面に標示杭を識別するための表示プレートが取り付けられる標示杭であって、
前記頂面に前記表示プレートを装着する凹部を備え、前記凹部の内底面の周縁部に、上方に開口した複数の係合溝が設けられ、
前記表示プレートの周縁部に、前記係合溝に係合する複数の係合突片が形成され、前記係合突片の側面に、前記係合溝の内面に係止されて前記係合突片の係合溝からの離脱を阻止する係止突起が設けられている標示杭。
【請求項６】
請求項１ないし５のいずれかにおいて、前記凹部の内底面に定点指示用の凹所が設けられ、
前記表示プレートに、前記凹所に合致する挿通孔が設けられている標示杭。
【請求項７】
少なくとも頂面が地表から露出するようにして地盤に埋設され、前記頂面に標示杭を識別するための表示プレートが取り付けられる標示杭であって、
前記頂面の中心部に嵌合孔が形成され、
前記表示プレートが、下方に向けて縮径するテーパ状の嵌合筒部を有し、前記嵌合筒部を前記嵌合孔に挿入することにより取り付けられており、
前記嵌合筒部の内面により定点指示用の孔が形成されている標示杭。
【請求項８】
請求項７において、前記嵌合筒部の外周面に、前記嵌合孔の内面に係止されて前記嵌合筒部の嵌合孔からの離脱を阻止する係止突起が設けられている表示プレートが取り付けられた標示杭。
【発明の詳細な説明】
【０００１】
【発明の属する技術分野】
本発明は、地籍調査を行うような場合に使用される土地や道路の位置に関する情報、または、その位置のケーブル、水道管、ガス管等の地下埋設物に関する情報のような、地理的情報を表示するための標示杭に関するものである。
【０００２】
【従来の技術】
従来、地籍調査等を行う場合には、位置標示部材として、例えば、測量杭が使用されている。この測量杭は、地盤に打ち込まれるもので、地表に露出する頂面に、土地の境界表示や区画番号、基準点からの距離、地下埋設物の情報等の地理的情報に関連付けた識別番号や識別記号が付された表示プレートが取り付けられたものが使用されている（例えば、特許文献１）。
【０００３】
【特許文献１】
実用新案登録第２５２７６０７号公報（第２頁第３欄第２１行目ないし同第４欄第３４行目、第１図）
【０００４】
前記表示板は、現場において、測量杭を地盤に打ち込んだ後に取り付けられる。したがって、ピンを打ち込むためのハンマのような道具を表示板とともに持ち運ばなければならない。さらに、このピンの打ち込み作業は、一般に重労働であり、また、誤ってハンマで手を叩いてしまう恐れもある。
【０００５】
そこで本発明の目的は、標示杭を識別するための表示プレートが、道具を使わず容易に取り付け可能で、かつ、いたずらなどによる取り外しが防止できる標示杭を提供することにある。
【０００６】
【課題を解決するための手段】
上記目的を達成するために、本発明の第１構成に係る標示杭は、少なくとも頂面が地表から露出するようにして地盤に埋設され、前記頂面に標示杭を識別するための表示プレートが取り付けられる標示杭であって、前記頂面に、前記表示プレートを装着する凹部を備え、前記凹部の内周面の上部における一部に、凹部の中心に向かって突出した係止爪が設けられ、内底面に係合突起が設けられ、前記表示プレートが、外周縁に設けられて前記係止爪を上下方向に通過させて係止爪の下方に表示プレートを回転可能に位置させる切欠部と、表示プレートの切欠部が係止爪からずれた位置に回転した状態で前記係合突起に嵌合する嵌合孔とを有している。
【０００７】
前記構成によれば、表示プレートの標示杭に対する取り付けは、表示プレートの前記切欠部を、標示杭の頂面に形成された前記係止爪に合わせて上下方向に通過させ、前記凹部に載置し、表示プレートを回転させて前記切欠部が形成されていない周縁部を係止爪の下方に位置させて行われるから、道具を使わず容易にできる。また、このとき、前記凹部の内底面に形成された係合突起に、前記表示プレートに形成された嵌合孔を嵌合させることにより、前記係合突起が廻り止めとなるから、いたずらなどにより、表示プレートを再び回転させ、前記切欠部を前記係止爪に合う位置に戻し、上下方向に通過させて標示杭から取り外されることが防止できる。
【０００８】
本発明の第１構成における好ましい実施形態では、前記表示プレートの前記凹部の内底面と接する裏面に接着剤からなる接着層が形成されている。この構成によれば、風化などにより前記頂面の凹部の内底面に形成された係合突起が崩れたとしても、前記接着層により接着しているから、いたずらなどにより、表示プレートを再び回転させ、前記切欠部を前記係止爪に合う位置に戻し、上下方向に通過させて標示杭から取り外されることが防止できる。
【０００９】
さらに、本発明の第１構成における好ましい実施形態では、前記凹部の内底面が、すりガラス状に、表面を粗らし加工されている。この構成によれば、前記表示プレートに形成された接着層がより強固に接着され、剥がれ難くなる。
【００１０】
本発明の第２構成に係る標示杭は、少なくとも頂面が地表から露出するようにして地盤に埋設され、前記頂面に標示杭を識別するための表示プレートが取り付けられる標示杭であって、前記頂面に、前記表示プレートを装着する凹部を備え、前記凹部の内周面の上部における一部に、凹部の中心に向かって突出した係合爪が設けられ、前記表示プレートが、板ばねからなり、弾性変形によって前記凹部における係止爪の下方に係止されている。
【００１１】
前記構成によれば、前記表示プレートの標示杭への取り付けは、前記表示プレートを弾性変形させることによって、周縁部を前記凹部の係止爪に係止させるから、道具を使わずに容易にできる。また、前記表示プレートは、一旦取り付けられれば、前記凹部に嵌合するため、再び変形させることができないから、いたずらなどによる取り外しが防止できる。
【００１２】
本発明の第３構成に係る標示杭は、少なくとも頂面が地表から露出するようにして地盤に埋設され、前記頂面に標示杭を識別するための表示プレートが取り付けられる標示杭であって、前記頂面に前記表示プレートを装着する凹部を備え、前記凹部の内底面の周縁部に、上方に開口した複数の係合溝が設けられ、前記表示プレートの周縁部に、前記係合溝に係合する複数の係合突片が形成され、前記係合突片の側面に、前記係合溝の内面に係止されて前記係合突片の係止溝からの離脱を阻止する係止突起が設けられている。
【００１３】
前記構成によれば、表示プレートの標示杭への取り付けは、前記係合突片を前記係合溝に挿入することにより行われるから、道具を使用せず容易にできる。また、前記表示プレートは、前記係合突片の側面に設けられた係止突起が前記係合溝の内面に係止されることにより、いたずらなどによる取り外しが防止できる。さらに、前記表示プレートは平板状であるため重ねて持ち運ぶことができる。
【００１４】
本発明の第１ないし第３構成における好ましい実施形態では、前記凹部の内底面に定点指示用の凹所が設けられ、前記表示プレートに、前記凹所に合致する挿通孔が設けられている。この構成によれば、標示杭に測量用ピンポールを立てて利用することができる。
【００１５】
本発明の第４構成に係る標示杭は、少なくとも頂面が地表から露出するようにして地盤に埋設され、前記頂面に標示杭を識別するための表示プレートが取り付けられる標示杭であって、前記頂面の中心に嵌合孔が形成され、前記表示プレートが、下方に向けて縮径するテーパ状の嵌合筒部を有し、前記嵌合筒部を前記嵌合孔に挿入することにより取り付けられており、前記嵌合筒部の内面により定点指示用の孔が形成されている。
【００１６】
前記構成によれば、表示プレートの標示杭への取り付けは、前記表示プレートに形成された前記嵌合筒部を、前記頂面に形成された嵌合孔に挿入することにより行われるから、道具を使用せず容易にできる。また、前記嵌合筒部は縮径するテーパ状であるから、嵌合孔との嵌め合いにより、いたずらなどによる取り外しが防止できる。
【００１７】
本発明の第４構成における好ましい実施形態では、前記嵌合筒部の外周面に、前記嵌合孔の内面に係止されて前記嵌合筒部の嵌合孔からの離脱を阻止する係止突起が設けられている表示プレートが取り付けられている。この構成によれば、前記係止突起が、前記嵌合孔の内面に係止されることにより、前記表示プレートのいたずらなどによる取り外しが防止できる。
【００１８】
【発明の実施の形態】
以下、本発明の好ましい実施形態について図面を参照しながら説明する。
図１は第１実施形態に係る標示杭Ａであり、細長い、例えば断面十字形とされた杭本体１の先端側に先鋭部１１を、基端側に四角柱形状とされた頭部１０をそれぞれ形成して、この頭部１０を覆う樹脂や金属製のキャップ１２を取り付けている。杭本体１およびキャップ１２の横断面形状は、三角形、四角形以上の多角形、円形等、種々の形状とすることができる。
【００１９】
杭本体１は、樹脂製、木製、コンクリート製であり、通常、樹脂製のものが好ましく用いられる。この樹脂製の杭本体１に使用される材料としては、例えば、ポリエチレン、ポリプロピレン、ポリエステル、スチロール、ポリアミド、ポリスルホン等の熱可塑性プラスチックで形成された樹脂製品の廃物等である、リサイクル樹脂が用いられる。
【００２０】
杭本体１の頭部１０を覆うキャップ１２には、ポリエチレン、ポリプロピレン、フッ素、ポリカーボネート、ポリスルホン、ポリエステル等の熱可塑性樹脂や、フェノール、ポリイミド等の熱硬化性樹脂が用いられる。
【００２１】
標示杭Ａの頂面となるキャップ１２の頂面１２ａに表示プレート２０が取り付けられている。表示プレート２０は、アルミニウム、ステンレス等の耐腐食性を有する金属または樹脂製のプレートが好ましく用いられる。この表示プレート２０の表面には、杭の用途、土地の境界表示や区画番号、基準点からの距離、地下埋設物の情報等の地理的情報に関連付けた識別番号や識別記号が刻印あるいは印刷されている。本実施形態では、「国土調査」という用途を示す文字と、「０１２３」という識別番号が刻印されている。前記識別番号、または識別記号を利用して、データセンタから、その標示杭Ａが存在する場所の土地や道路の位置、または、その位置におけるケーブル、水道管、ガス管等の埋設状況等の情報が得られる。
【００２２】
図２は、表示プレート２０のキャップ１２の頂面１２ａへの取付方法を示している。キャップ１２の頂面１２ａには、表示プレート２０を装着する凹部１３が設けられている。この凹部１３の内周面の上部における一部に、凹部１３の中心に向かって突出した係止爪１４，１４が設けられている。この係止爪１４，１４は、凹部１３の内底面との間で係止溝１５，１５を形成している。標示杭Ａが、頭部１０にキャップ１２を被せられた後に頂面１２ａをハンマ等で叩いて地盤に打ち込まれるので、前記係止爪１４，１４は、打ち込み時に折れないように周方向に幅広に形成されている。また、凹部１３の内底面の中心に、測量用ピンポールを立てて利用する定点指示用の凹所１６が設けられている。さらに、凹部１３の内底面の他部には、表示プレート２０の廻り止めとなる係合突起１７が設けられている。
【００２３】
表示プレート２０は、中央に挿通孔２１を有する円形状であり、外周縁には切欠部２３，２３が設けられている。前記切欠部２３，２３は、前記係止爪１４，１４を上下方向に通過できるように、係止爪１４，１４より大きく形成されている。また、内周側には、表示プレート２０の切欠部２３，２３が係止爪１４，１４からずれた位置に回転した状態で前記係合突起１７に嵌合する嵌合孔２２が形成されている。
【００２４】
つぎに、表示プレート２０の標示杭Ａに対する取り付けについて説明する。
まず、表示プレート２０は、図２に示されるように表示プレート２０の切欠部２３，２３の位置を係止爪１４，１４に合わせて上下方向に通過させ、凹部１３に載置する。続いて、Ｐ方向に回転させ、表示プレート２０の切欠部２３，２３が形成されていない周縁部を係止溝１５，１５に係止させる。このとき、前記嵌合突起１７嵌合孔２２が嵌合する。
【００２５】
したがって、表示プレート２０は、キャップ１２の頂面１２ａの凹部１３に載置した状態では、係合突起１７の高さ分だけ凹部１３の内底面から浮いた状態であるが、Ｐ方向に回転させ、表示プレート２０の切欠部２３，２３が形成されていない周縁部を係合溝１５，１５に係合する位置に回転させると、図３に示すように、嵌合孔２２が係合突部１７に嵌合し、凹部１３の内底面に接する。図３では、係合突起１７の高さは表示プレート２０の厚みと同じであるが、高くしてもよいし、また、廻り止め効果が得られる高さであれば、表示プレート２０の厚みより低くてもよい。
【００２６】
このように、第１実施形態に係る標示杭Ａでは、表示プレート２０を、キャップ１２の頂面１２ａの凹部１３に載置して回転させるだけで道具を使わず容易に取り付けることができる。また、表示プレート２０をキャップ１２の頂面１２ａの凹部１３に一旦装着すれば、係合突起１７の廻り止め効果により、いたずらなどで、再び切欠部２３，２３を係止溝１５，１５から外れる位置に回転させ、取り外される恐れがない。
【００２７】
また、本発明の第２実施形態に係る標示杭Ａは、図４に示されるように、キャップ１２の頂面１２ａに形成された凹部１３の内底面と接する面に、接着剤からなる接着層２４が形成されている。接着層２４の形成は、表示プレート２０Ａに、予めシールのような接着層２４を貼り付け、これに裏当材を付けておいてもよいし、現場において接着剤を塗布してもよい。これによれば、風化などにより前記凹部１３の内底面に形成された係合突起１７が崩れたとしても、接着層２４の接着効果により、いたずらで表示プレート２０Ａが係合溝１５，１５から外れる位置に回転される恐れはない。
【００２８】
このとき、さらに、貼り付けられる側である標示杭Ａの頂面１２ａに形成された前記凹部１３の内底面に粗し加工を施しておくと、表示プレート２０Ａがより強固に取り付けられて頂面１２ａから剥がれ難くなる。
【００２９】
上述した本発明の第１および第２実施形態において、表示プレート２０，２０Ａの表面に、凹凸や溝を形成して滑り止めまたは指孔とし、回転させ易くしてもよい。
【００３０】
本発明の第３実施形態に係る標示杭Ａは、図５に示されるように、第１実施形態と同様に、キャップ１２の頂面１２ａに、表示プレート２０Ｂを装着する凹部１３が設けられている。この凹部１３の内周面の上部における一部に、凹部１３の中心に向かって突出した係止爪１４，１４が設けられている。この係止爪１４，１４は、凹部１３の内底面との間で係止溝１５，１５を形成している。前記凹部１３の内底面に、定点指示用の凹所１６が設けられている。
また、表示プレート２０Ｂは、ばね鋼で形成した板ばねからなり、円形状で中央部が盛り上がっている。
【００３１】
つぎに、表示プレート２０Ｂの標示杭Ａに対する取り付けについて説明する。表示プレート２０Ｂは、図６（Ａ）に示されるように、中央部に前記凹所１６に合致する挿通孔２１を有し、予め中央部が上方へせりだすように湾曲している。この表示プレート２０Ｂを前記凹部１３に入れ、周縁部を係止爪１４，１４の下面に引っ掛ける。中央部を上方から押し下げて、図６（Ｂ）に示されるように、座屈変形させる。これにより、周縁部が係止溝１５，１５に係止する。
【００３２】
このように、本発明の第３実施形態に係る標示杭Ａでは、前記表示プレート２０Ｂを弾性変形することによって、周縁部を前記凹部１３の係止爪１４，１４に係止させて行われるから、道具を使わずに容易に取り付けることができる。また、前記表示プレート２０Ｂは、一旦取り付けられれば、前記凹部１３に嵌合するため、再び変形させることができないから、いたずらなどによる取り外しが防止できる。
【００３３】
本発明の第４実施形態に係る標示杭Ａは、図７に示されるように、キャップ１２の頂面１２ａに、表示プレート２０Ｃを装着する凹部１３が設けられている。この凹部１３の内底面の周縁部に、上方に開口した複数の係合溝１８，１８が設けられている。さらに、前記凹部１３の内底面の中心には、定点指示用の凹所１６が設けられている。
【００３４】
表示プレート２０Ｃは、中央に前記凹所１６に合致する挿通孔２１を有する円形状であり、周縁部に、前記係合溝１８，１８に係合する複数の係合突片２５，２５が形成され、前記係合突片２５，２５の側面に、前記係合溝１８，１８の内面に係止されて前記係合突片２５，２５の係合溝１８，１８からの離脱を阻止する係止突起２６，２６が設けられている。前記係止突起２６，２６は、係合突起２５，２５の係合溝１８，１８への挿入の妨げとならないように、係合突起２５，２５の先端に向かって側方への突起幅が小さくなる矢尻状に形成されている。
【００３５】
つぎに、表示プレート２０Ｃの標示杭Ａに対する取り付けについて説明する。表示プレート２０Ｃは、図７の破線で示されるように前記係合突片２５，２５が下方に折り曲げられ、図８のように係合溝１８，１８に嵌合される。このとき、前記係合突片２５，２５の側面に設けられた係止突起２６，２６が前記係合溝１８，１８の内面に係止される。
【００３６】
このように、本発明の第４実施形態に係る標示杭Ａでは、表示プレート２０Ｃに設けられた複数の係合突起２５，２５を複数の係合溝１８，１８に嵌合することにより、道具を使用せずに容易に取り付けることができる。また、前記係合突片２５，２５の側面に設けられた係止突起２６，２６が、前記凹部１３の係合溝１８，１８の内側面に係止されるから、いたずらなどによる取り外しが防止できる。また、表示プレート２０Ｃは平板状であるため重ねて持ち運ぶことができる。
【００３７】
本発明の第５実施形態に係る標示杭Ａは、図９に示されるように、キャップ１２の頂面１２ａに、表示プレート２０Ｄを装着する凹部１３が設けられている。この凹部１３の内底面の中心部に有底の嵌合孔１９が形成されている。
【００３８】
表示プレート２０Ｄは、図１０（Ａ）に示されるように、下方に向けて縮径するテーパ状に嵌合筒部３０を有し、前記嵌合筒部３０の内面により定点指示用の凹所１６が形成されている。さらに、図１０（Ｂ）に示されるように、前記嵌合筒部３０の外周面に、前記嵌合孔１９の内面に係止されて前記嵌合筒部３０の嵌合孔１９からの離脱を阻止する係止突起３１が設けられている。前記係止突起３１は、前記嵌合筒部３０の前記嵌合孔１９への挿入の妨げにならないように、嵌合筒部３０の先端（下端）に向かって側方への突出幅が小さくなるよう傾斜している。
【００３９】
好ましくは、この表示プレート２０Ｄが、プレス成形により一枚の板状部材から、型抜きと前記嵌合筒部３０の成形が同時に行われる。
【００４０】
つぎに、表示プレート２０Ｄの標示杭Ａに対する取り付けについて説明する。表示プレート２０Ｄは、図１１に示されるように、前記嵌合筒部３０を前記嵌合孔１９に挿入することによりに取り付けられる。
【００４１】
このように、本発明の第５実施形態に係る標示杭Ａでは、表示プレート２０Ｄの嵌合筒部３０を嵌合孔１９に挿入するだけで、道具を使わず容易に取り付けることができる。また、嵌合筒部３０の外周面に設けられた係止突起３１が嵌合孔１９の内面に係止されるから、いたずらなどによる取り外しが防止できる。
【００４２】
上述した各実施形態において、定点指示用の凹所１６は省略してもよい。
【００４３】
【発明の効果】
以上のように、本発明の実施形態に係る標示杭によれば、標示杭を識別するための表示プレートが、道具を使わず容易に取り付け可能で、かつ、いたずらなどによる取り外しが防止できる。
【図面の簡単な説明】
【図１】本発明の第１実施形態に係る標示杭の一例を示す斜視図である。
【図２】同標示杭の表示プレートの取り付けを示す要部の斜視図である。
【図３】同標示杭の要部を示す断面図である。
【図４】本発明の第２実施形態に係る標示杭に取り付けられる表示プレートの一例を示す斜視図である。
【図５】本発明の第３実施形態に係る標示杭の表示プレートの取り付けを示す要部の斜視図である。
【図６】（Ａ）は同標示杭への表示プレートの取り付けの一例を示す断面図、（Ｂ）は同標示杭に表示プレートが取り付けられた状態を示す要部の断面図である。
【図７】本発明の第４実施形態に係る標示杭の表示プレートの取り付けを示す要部の斜視図である。
【図８】同標示杭の要部を示す断面図である。
【図９】本発明の第５実施形態に係る標示杭の表示プレートの取り付けを示す要部の斜視図である。
【図１０】（Ａ）は同標示杭の表示プレートの一例を示す斜視図、（Ｂ）はその要部を示す断面である。
【図１１】同標示杭の要部を示す断面図である。
【符号の説明】
１…杭本体、１０…頭部、１２…キャップ、１２ａ…頂面、１３…凹部、１４…係止爪、１５…係止溝、１６…定点指示用の凹所、１７…係合突起、２０，２０Ａ，２０Ｂ，２０Ｃ，２０Ｄ…表示プレート、２１…挿通孔、２２…嵌合孔、２３…切欠部、Ａ…標示杭。
【図１】
2004325394.tif 000003
【図２】
2004325394.tif 000004
【図３】
2004325394.tif 000005
【図４】
2004325394.tif 000006
【図５】
2004325394.tif 000007
【図６】
2004325394.tif 000008
【図７】
2004325394.tif 000009
【図８】
2004325394.tif 000010
【図９】
2004325394.tif 000011
【図１０】
2004325394.tif 000012
【図１１】
2004325394.tif 000013